【事件の表示】
　特許第３２６７４６９号「空気圧式釘打機における緩衝機構」の請求項１に係る特許に対する特許異議の申立てについて、次のとおり決定する。
【結　論】
　訂正を認める。
　特許第３２６７４６９号の請求項１に係る特許を維持する。
【理　由】
第１　手続の経緯
　本件特許第３２６７４６９号の請求項１に係る発明についての出願は、平成７年６月９日に特許出願され、平成１４年１月１１日にその発明について特許権の設定の登録がされ、その後、平成１４年９月１８日に特許異議申立人日立工機株式会社より請求項１に係る特許に対して特許異議の申立てがされ、請求項１に係る特許に対して取消しの理由が通知され、その指定期間内である平成１５年２月１７日に特許異議意見書が提出されるとともに訂正請求がされたものである。
　
第２　訂正の適否
１　訂正の内容
　上記訂正請求による訂正の内容は、次のとおりのものである。
(1) 訂正事項ａ
　設定登録時の願書に添付した明細書又は図面（以下「特許明細書等」という。）の特許請求の範囲の請求項１に記載された２箇所の「空気圧式釘打機」を「高圧の空気圧式釘打機」と訂正する。
(2) 訂正事項ｂ
　特許明細書等の特許請求の範囲の請求項１に記載された
「上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成した」を、
「上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成し、釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした」と訂正する。
(3) 訂正事項ｃ
　特許明細書等の発明の詳細な説明に記載された「空気圧式釘打機」（特許掲載公報第３欄第１５行（段落【０００５】参照）及び同第３欄第１９，２４行（段落【０００５】参照））を「高圧の空気圧式釘打機」と訂正し、「釘打機」（同第４欄第５行（段落【００１０】参照）及び同第６欄第６行（【図面の簡単な説明】の【図１】参照））を「高圧の空気圧式釘打機」と訂正する。
(4) 訂正事項ｄ
　特許明細書等の発明の詳細な説明に記載された
「上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成した」（特許掲載公報第３欄第２５−３１行（段落【０００６】参照））を、
「上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成し、釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした」と訂正する。
２　訂正の目的の適否、新規事項の有無及び拡張・変更の存否
(1) 訂正事項ａについて
　訂正事項ａは、請求項１における「空気圧式釘打機」を「高圧の空気圧式釘打機」と、「高圧の」ものであると限定しようとするものであるので、特許請求の範囲の減縮を目的とした明細書の訂正に該当する。
　また、訂正事項ａの「高圧の空気圧式釘打機」は、特許明細書等に記載された「【発明の目的】本発明は・・・高圧エアで駆動された・・・空気圧式釘打機における・・・。」（特許掲載公報第３欄第１３−１６行（段落【０００５】参照））の事項より、特許明細書等に記載された事項の範囲内のものである。
　また、訂正事項ａの訂正によって発明の目的が変更されるものではないので、訂正事項ａは、実質上特許請求の範囲を拡張し、又は変更するものではない。
(2) 訂正事項ｂについて
　訂正事項ｂは、請求項１における「クリアランス」が「釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした」ものであると限定しようとするものであるので、特許請求の範囲の減縮を目的とした明細書の訂正に該当する。
　また、訂正事項ｂの「釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした」は、特許明細書等に記載された「【発明の作用、効果】本発明によれば、打撃ピストンは釘打ち込み駆動された後、その下面がバンパに衝撃的に当たるから、バンパの上部は内側に撓み変形する。このとき、バンパの内側空間は圧縮されて縮小するとともに、上端の開口は打撃ピストンの下面に圧接して閉鎖される。また、ドライバとドライバ案内孔との間のクリアランスは小さく形成され、上記内側空間の空気は瞬間的には上記クリアランスから外部に逃げることができないから、内部に閉じ込められた空気はバンパの内側で圧縮される。圧縮された空気は打撃ピストンが停止した直後に上記クリアランスから排出される。」（特許掲載公報第３欄第３３−４３行（段落【０００７】参照））の事項より、特許明細書等に記載された事項の範囲内のものである。
　また、訂正事項ｂの訂正によって発明の目的が変更されるものではないので、訂正事項ｂは、実質上特許請求の範囲を拡張し、又は変更するものではない。
(3) 訂正事項ｃ及びｄについて
　訂正事項ｃ及びｄは、訂正事項ａ及びｂで訂正された特許請求の範囲の記載と発明の詳細な説明の記載との整合をとるためのものであるので、明りょうでない記載の釈明を目的とした明細書の訂正に該当し、明らかに特許明細書等に記載した事項の範囲内においてされたものであり、また、明らかに実質上特許請求の範囲を拡張し、又は変更するものではない。
３　むすび
　以上のとおりであるので、上記訂正は、特許法第１２０条の４第２項及び同条第３項において準用する同法第１２６条第２、３項の規定に適合するので、当該訂正を認める。
　
第３　特許異議の申立てについての判断
１　特許異議の申立て及び取消しの理由の概要
　上記特許異議申立人は、証拠として、甲第１号証：実願平５−５３３９６号（実開平７−１７４８１号）のＣＤ−ＲＯＭ（以下「引用例１」という。）、甲第２号証：実公昭５６−４０５３６号公報（以下「引用例２」という。）及び甲第３号証：特公昭５５−２１６８０号公報（以下「引用例３」という。）を提出し、請求項１に係る発明は、引用例１乃至３に記載された発明に基づいて当業者が容易に発明をすることができたものであり、請求項１に係る特許は、特許法第２９条第２項の規定に違反してされたものであるから取り消されるべきものである旨主張している。
　また、当審で通知した取消しの理由の概要は、上記特許異議の申立の理由と同様のものである。
２　本件発明
　上記第２の３のとおり、上記訂正が認められたので、本件特許第３２６７４６９号の請求項１に係る発明（以下「本件発明」という。）は、訂正請求書に添付された訂正明細書の特許請求の範囲の請求項１に記載された次のとおりのものと認める。
「ボディの内部に配置された打撃シリンダの上端から圧縮エアを給排することにより打撃シリンダ内の打撃ピストンを釘打ち込み駆動させ、打撃ピストンと一体に結合したドライバを打撃シリンダの下部に形成したドライバ案内孔から貫通させて射出口に打ち出す高圧の空気圧式釘打機において、上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成し、釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにしたことを特徴とする高圧の空気圧式釘打機における緩衝機構。」
３　引用例記載事項
(1) 引用例１
ア　明細書第６頁第２−２８行（段落【００１０】−【００１３】参照）に、
「したがって、本考案によれば、高圧で小型の釘打機に適する緩衝装置が得られる。
　【実施例】
　図１は空気圧駆動式の釘打機を示すもので、この釘打機は、駆動シリンダ１内に駆動ピストン２を摺動自在に収容するとともに、該駆動ピストン２の下面にドライバ３を一体に結合し、駆動ピストン２を駆動してドライバ３により釘打機本体４の先端の射出部５に供給された釘を打出すものである。釘打機本体４にはグリップ部を介して圧縮空気供給源（エアコンプレッサ）６から供給された圧縮空気を貯留するエアチャンバ７が形成され、該エアチャンバ７内の圧縮空気がトリガによって作動するメインバルブ８の開閉に応じて駆動シリンダ１内の駆動ピストン２の上面に供給され、これにより駆動ピストン２が駆動される。なお、駆動ピストン２が下方に駆動されると、駆動シリンダ１内の下方の空気は圧縮されるから、圧縮された空気は駆動シリンダ１の下部に形成された連通孔９からブローバックチャンバ１０内に圧送されて貯留される。駆動ピストン２が下死点に到達したときに、駆動ピストン２の上面は図示しない排気孔を介して大気に通じて減圧するから、ブローバックチャンバ１０内の圧縮空気が上記連通孔９から駆動ピストン２の下面に作用し、上下面の差圧により駆動ピストン２が上動し、上死点に復帰する。
　・・・
　バンパ１１の収容部１２は縦長に形成され、上部は同径に形成されているが、下部は外側に膨出し、内径は大径に形成されている。収容部１２の下面には射出部５に通じるドライバ３用貫通孔１４が形成されている。」と記載されていると認める。
イ　また、上記アのとおり、ブローバックチャンバ１０内に圧縮された空気が圧送され貯留されるのであるから、ドライバ３とドライバ用貫通孔１４との間のクリアランスは、駆動ピストン２が下方に駆動されるときに、駆動シリンダ１内の下方の空気が圧縮される程度に小さく形成されていることが明らかである。
　以上のとおりであるので、引用例１には、引用例１に記載された事項を上記訂正明細書の特許請求範囲の請求項１で使用されている字句に置き換えて表現した次の発明が記載されていると認める。
　ボディの内部に配置された打撃シリンダの上端から圧縮エアを給排することにより打撃シリンダ内の打撃ピストンを釘打ち込み駆動させ、打撃ピストンと一体に結合したドライバを打撃シリンダの下部に形成したドライバ案内孔から貫通させて射出口に打ち出す高圧の空気圧式釘打機において、上記打撃シリンダの下方には、打撃ピストンの下面を受ける円筒状のバンパを、その外周面の全域が収容されるように配置し、ドライバとドライバ案内孔との間のクリアランスを小さく形成した高圧の空気圧式釘打機における緩衝機構。
(2) 引用例２
　第２欄第４−２１行に、
「本考案の目的は、上記した従来技術の欠点をなくし、この種のピストンダンパの寿命を長くすることである。本考案は、前述した釘打機において、ピストンダンパの寿命拡張の目的より、ピストンダンパ形状に着目し、ピストンダンパを内側に変形させるべく側壁内側にアンダーカットを設けたものである。
　第２図に本考案のピストンダンパの縦断面図を示す。
　釘の打込み時にピストン２が、ピストンダンパ６に衝突した際、ピストンダンパ６の側壁７内側にアンダーカットテーパーをつけることで内側に変形させ、ピストンボス部５と、ダンパ６内壁との摩擦エネルギーを大きくし、衝撃エネルギーを吸収する。又、ピストンダンパ６の側壁７内側を減肉したことで、バネ常数が小さくなりピストンダンパ６全体で衝撃エネルギーを吸収する２点の特性を持つものである。」と記載されていると認める。
　したがって、引用例２には、上記引用例１と同様に置き換えて表現した次の発明が記載されていると認める。
　バンパの下部の内径を上部の内径よりも大きくしてバンパ下部の内側にバンパ上部よりも大きい空間を形成し、釘打ち込み駆動された打撃ピストンの下面がバンパ上端に衝撃的に当たったときに、バンパが内側に変形する空気圧式釘打機における緩衝機構。
(3) 引用例３
ア　第２欄第１３−２０行に、
「本発明は上記の欠点を改善したものであって、図面に示す実施例についてその構成を詳細に説明すると、釘打機本体１の把持部２の内部に駆動用圧力エアーを蓄えるためのエアーチャンバ３と形成し、先端の打出作動部４には釘を打出すドライバー５を下面に取付けたピストン６を摺動自在に嵌合したシリンダー７を設け、シリンダー７の上部にダイヤフラム弁８を取付ける。」と記載され、
イ　第４欄第１３−１５行に、
「これによってブローバックチャンバー１６内のエアーはピストン６の下面を押上げピストン６を上昇させシリンダー７の上端の旧位置に復帰させる。」と記載され、
ウ　第１図に釘打機の要部の断面図が、第２図に釘打込時の断面図が示されていると認める。
エ　また、上記(1) と同様に、ドライバー５とその貫通孔とのクリアランスは、小さく形成されていることが明らかである。
　以上のとおりであるので、引用例３には、上記引用例１及び２と同様に置き換えて表現した次の発明が記載されていると認める。
　ドライバとドライバ案内孔との間のクリアランスを小さく形成した空気圧式釘打機
４　対比・判断
　本件発明と引用例１乃至３に記載された発明とを対比すると、引用例１に記載された発明は、本件発明と類似する構成を備えているものの、本件発明の構成要件である「該バンパの下部の内径及び外径を上部の内径及び外径よりもそれぞれ大きくしてバンパ下部の内側にバンパ上部よりも大きい空間を形成し」（以下「構成Ａ」という。）及び「釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした」（以下「構成Ｂ」という。）を備えておらず、かつ、引用例１には、構成Ａ及びＢを示唆する記載もない。
　また、引用例２に記載された発明は、構成Ａと類似する構成を備えているものの、打撃ピストンの下面がバンパ上端に衝撃的に当たったときに、バンパの内側空間の内部に空気が閉じ込められて圧縮されるようなものではなく、また、このようにバンパの内部空間に空気を閉じ込めて圧縮することが、引用例２に示唆されているものでもない。
　以上のとおりであるから、引用例１に記載された発明のバンパに、引用例２に記載された発明のバンパの形状を採用することにより、構成Ａを容易に想到することができたとしても、構成Ｂまでも容易に想到することができたとすることはできない。
　また、引用例３に記載された発明は、上記３の(3) のとおりのものであって、引用例３には、構成Ｂについて記載されておらず、示唆もされていない。
　そして、本件発明は、構成Ｂを備えることにより、発明の詳細な説明の欄に記載に記載された「このように、バンパの弾性とその内側に発生するエアクッションの相乗効果により打撃ピストンによる衝撃は効率的に吸収される。したがって、バンパ自体を大きくしなくても打撃ピストンの衝撃を十分に吸収することができる。また、上記内側空間内の空気は打撃ピストンがバンパに当たって停止するまでのごく短い瞬間は外部に逃げることができないから、バンパの撓み変形も内側空間内に密封された空気により緩和され、過度の変形は防止されるから、バンパの耐久性も向上する。」（特許掲載公報第３欄第４４行−第４欄第３行（段落【０００８】、【０００９】参照））という本件発明の効果を奏することができるものである。
　したがって、本件発明は、引用例１乃至３に記載された発明に基づいて当業者が容易に発明をすることができたものとすることができない。
５　むすび
　以上のとおりであるから、特許異議の申立ての理由及び証拠によっては本件請求項１に係る特許を取り消すことができない。
　また、他に本件請求項１に係る特許を取り消すべき理由を発見しない。
　したがって、本件請求項１に係る特許は拒絶の査定をしなければならない特許出願についてされたものと認めない。
　よって、結論のとおり決定する。
【異議決定日】
平成１５年３月２４日（２００３．３．２４）
【訂正の要旨】
ａ．　特許請求の範囲の請求項１の「空気圧式釘打機」を「
高圧の
　これに伴い、特許請求の範囲の記載と発明の詳細な説明の記載との整合をとるため、本件特許明細書である特許公報第２頁左欄１５行、同１９行、同２４行「空気圧式釘打機」を明瞭でない記載の釈明を目的として「
高圧の
高圧の空気圧式
高圧の空気圧式
ｂ．　特許請求の範囲の請求項１の「上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成した」を、「上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成し
、釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした
　これに伴い、特許請求の範囲の記載と発明の詳細な説明の記載との整合をとるため、本件特許明細書である特許公報第２頁左欄１９行〜３１行「本発明に係る空気圧式釘打機における緩衝機構は、ボディの内部に配置された打撃シリンダの上端から圧縮エアを給排することにより打撃シリンダ内の打撃ピストンを釘打ち込み駆動させ、打撃ピストンと一体に結合したドライバを打撃シリンダの下部に形成したドライバ案内孔から貫通させて射出口に打ち出す空気圧式釘打機において、上記打撃シリンダの下方には、打撃ピストンの下面を受ける円筒状のバンパを、その外周面の全域が収容されるように配置し、該バンパの下部の内径及び外径を上部の内径及び外径よりもそれぞれ大きくしてバンパ下部の内側にバンパ上部よりも大きい空間を形成し、ドライバとドライバ案内孔との間のクリアランスを小さく形成したことを特徴とする。」を明瞭でない記載の釈明を目的として「本発明に係る
高圧の
高圧の
、釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした
（５４）【発明の名称】
空気圧式釘打機における緩衝機構
（５７）【特許請求の範囲】
　【請求項１】　ボディの内部に配置された打撃シリンダの上端から圧縮エアを給排することにより打撃シリンダ内の打撃ピストンを釘打ち込み駆動させ、打撃ピストンと一体に結合したドライバを打撃シリンダの下部に形成したドライバ案内孔から貫通させて射出口に打ち出す
高圧の
、釘打ち込み駆動された打撃ピストンの下面がバンパ上端に衝撃的に当たったときに、バンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした
高圧の
【発明の詳細な説明】
　【０００１】
　【産業上の利用分野】
　本発明は打撃シリンダに対して圧縮エアを給排することにより打撃ピストンとともにドライバを釘打込み駆動する空気圧式釘打機において、駆動された打撃ピストンを下死点で停止させるためのバンパを特別の構造にすることによって打撃ピストンの衝撃を吸収する緩衝機構に関する。
　【０００２】
　【従来技術】
　一般に、この種の空気圧式釘打機は圧縮エアを利用して打撃ピストンを駆動し、釘を打ち出すものであるが、最近高圧の圧縮エアが使えるようになってきている。したがって、小型で操作性がよいにも拘らず高出力の釘打機が実現可能となった。
　【０００３】
　ところで、高圧のエアで打撃ピストンを駆動すると、その衝撃力も大きくなるから、打撃ピストンの衝撃を吸収する緩衝用バンパも大きくせざるをえない。しかしながら、バンパが大きくなると小型化の実現が困難となる。
　【０００４】
　しかしながら、従来の釘打機のバンパは外側に撓み代が形成されていたから、打撃ピストンの衝撃を受けたとき、バンパは外側に撓み変形する。したがって、より大きな衝撃力を緩衝するためには、バンパの撓み量を見込んだ大きな撓み代を形成してバンパの撓み量を大きくする必要が生ずる。バンパが大きく撓むことによってバンパの耐久性が低下するという問題が発生する。
　【０００５】
　【発明の目的】
　本発明は前記欠点を解消し、バンパを大きくすることなしに高圧エアで駆動された打撃ピストンの衝撃を効率的に吸収することができる
高圧の
　【０００６】
　【目的を達成するための手段】
　前記目的を達成するため、本発明に係る
高圧の
高圧の
、釘打ち込み駆動された打撃ピストンの下面がバンパ上端に衝撃的に当たったときに、パンパの上部が内側に撓み変形し瞬間的にバンパの内側空間の内部に空気が閉じ込められて圧縮され、また、当該圧縮された空気は打撃ピストンが停止した直後に上記クリアランスから排出されるようにした
　【０００７】
　【発明の作用、効果】
　本発明によれば、打撃ピストンは釘打ち込み駆動された後、その下面がバンパに衝撃的に当たるから、バンパの上部は内側に撓み変形する。このとき、バンパの内側空間は圧縮されて縮小するとともに、上端の開口は打撃ピストンの下面に圧接して閉鎖される。また、ドライバとドライバ案内孔との間のクリアランスは小さく形成され、上記内側空間の空気は瞬間的には上記クリアランスから外部に逃げることができないから、内部に閉じ込められた空気はバンパの内側で圧縮される。圧縮された空気は打撃ピストンが停止した直後に上記クリアランスから排出される。
　【０００８】
　このように、バンパの弾性とその内側に発生するエアクッションの相乗効果により打撃ピストンによる衝撃は効率的に吸収される。したがって、バンパ自体を大きくしなくても打撃ピストンの衝撃を十分に吸収することができる。
　【０００９】
　また、上記内側空間内の空気は打撃ピストンがバンパに当たって停止するまでのごく短い瞬間は外部に逃げることができないから、バンパの撓み変形も内側空間内に密封された空気により緩和され、過度の変形は防止されるから、バンパの耐久性も向上する。
　【００１０】
　【実施例】
　図１及び図２は本発明に係る
高圧の空気圧式
　【００１１】
　すなわち、図３のようにトリガレバー４で起動バルブ５のバルブステム１１を押し込み、パイロットバルブ１２を下動させてエア通路１３を排気口１４に開くことにより、ヘッドバルブ６の上室１５の圧縮エアを排気口１４から排出させてヘッドバルブ６を開き作動させ、エアチャンバ２の圧縮エアを打撃シリンダ３内に急激に供給して打撃ピストン７を駆動するのである。
　【００１２】
　釘打ち込み後にトリガレバー４を戻し操作することにより、図２に示したように、起動バルブ５のバルブステム１１はバネにより下動し、同時にパイロットバルブ１２は上動して再びエア通路１３から上室１５に圧縮エアが供給されてヘッドバルブ６が閉じ作動するとともに、排気孔１６が開いて打撃シリンダ３内に供給された圧縮エアは、ボディ１の側面に沿って形成された排気チャンバ１７を通って外部に排気される。同時に打撃時に圧縮された打撃シリンダ３の周囲のブローバックチャンバ１８内に貯留した圧縮エアにより、打撃ピストン７は上動し、初期の上死点位置に復帰し、次の釘打ち込みが準備されるのである。
　【００１３】
　ところで、上記打撃シリンダ３の下方には駆動された打撃ピストン７の下面を受けるバンパ２０が配置されている。このバンパ２０はゴム等の弾性材料により円筒状に形成されているとともに、下部の内径及び外径を上部の内径及び外径よりもそれぞれ大きくすることにより上から衝撃を受けたときにバンパ２０が内側に撓むように形成されている。
　【００１４】
　また、ドライバ８はバンパ２０の下方に設けられたドライバ案内孔２１に嵌挿されてノーズ部９の射出口に摺動自在に収容されている。そして、ドライバ８とドライバ案内孔２１との間のクリアランスは、バンパ２０の内側空間Ｓ内の空気が上記クリアランスから逃げにくいように小さく形成されている。
　【００１５】
　前記打撃ピストン７の緩衝機構において、打撃ピストン７は釘打ち込み駆動された後、その下面がバンパ２０に衝撃的に当たるから、図３のようにバンパ２０の上部は内側に撓み変形する。このとき、バンパ２０の内側空間Ｓは圧縮されて縮小するとともに、上端の開口は打撃ピストン７の下面に圧接して閉鎖される。また、ドライバ８とドライバ案内孔２１との間のクリアランスは小さく形成され、上記内側空間Ｓの空気は瞬間的には上記クリアランスから外部に逃げることができないから、内部に閉じ込められた空気はバンパ２０の内側で圧縮される。圧縮された空気は打撃ピストン７が停止した直後に上記クリアランスから排出される。
　【００１６】
　このように、バンパ２０の弾性とその内側に発生するエアクッションの相乗効果により打撃ピストン７による衝撃は効率的に吸収される。したがって、バンパ２０自体を大きくしなくても打撃ピストン７の衝撃を十分に吸収することができる。
　【００１７】
　また、上記内側空間Ｓ内の空気は打撃ピストン７がバンパ２０に当たって停止するまでのごく短い瞬間は外部に逃げることができないから、バンパ２０の撓み変形も内側空間Ｓ内に密封された空気により緩和され、過度の変形は防止されるから、バンパ２０の耐久性も向上する。
【図面の簡単な説明】
　【図１】
　本発明に係る
高圧の空気圧式
　【図２】
　上記釘打機の縦断面図
　【図３】
　上記釘打機の釘打ち込み作動時の断面図
　【符号の説明】
　１　ボディ
　３　打撃シリンダ
　７　打撃ピストン
　８　ドライバ
　２０　バンパ
　２１　ドライバ案内孔